(57)【要約】【課題】電気掃除機用の吸込具において、底面に設けられる走行体を十分な大きさで構成し、走行体の耐久性および走行性を向上させること。【解決手段】下方に吸込口４を開口させた吸込具１と、吸込口４に臨ませた回転ブラシ８と、回転ブラシ８を回転させる駆動源１７とを備え、回転ブラシ８は、合成樹脂や金属からなる回転軸体１４と、端部に設けられ駆動源１７の動力が伝達される伝達部１６とから構成され、伝達部１６と駆動源１７とはベルト１８にて張架され、回転軸体１４の外形よりも伝達部１６の外形のほうが小さくなるように構成した。従って回転ブラシ８を吸込具１の前方内壁に近接するように配置したとき、回転軸体１４より外形の小さい伝達部１６を形成でき、回転ブラシ８の端部を収納する空間が広くなり、吸込具１の走行体１９を構成する空間を大きく取れ、走行体１９の耐久性および走行性を向上できるようになる。【選択図】図１
2008054717.tif 000002
【特許請求の範囲】
【請求項１】
下方に吸込口を開口させた吸込具と、前記吸込口に臨ませた回転ブラシと、前記回転ブラシを回転させる駆動源と、前記吸込具の底面に設けられた走行体とを備え、前記回転ブラシを、合成樹脂や金属からなる回転軸体と、端部に設けられ前記駆動源の動力が伝達される伝達部とから構成し、前記伝達部と前記駆動源とをベルトにて連動し、さらに前記伝達部の外形を前記回転軸体の外形よりも小さくし、相対的に、前記走行体の設置空間および走行体そのものを、大きく構成した吸込具。
【請求項２】
下方に吸込口を開口させた吸込具と、前記吸込口に臨ませた回転ブラシと、前記回転ブラシを回転させる駆動源と、前記吸込具の底面に設けられた走行体とを備え、前記回転ブラシを、合成樹脂や金属からなる回転軸体と、端部に設けられ前記駆動源の動力が伝達される伝達部とから構成し、前記伝達部と前記駆動源との間に中間伝達部を設け、前記伝達部と前記中間伝達部、前記中間伝達部と前記駆動源とを各々ベルトにて連動し、さらに前記伝達部の外形を前記回転軸体の外形よりも小さくし、相対的に、前記走行体の設置空間および走行体そのものを、大きく構成した吸込具。
【請求項３】
下方に吸込口を開口させた吸込具と、前記吸込口に臨ませた回転ブラシと、前記回転ブラシを回転させる駆動源と、前記吸込具の底面に設けられた走行体とを備え、前記回転ブラシを、合成樹脂や金属からなる回転軸体と、端部に設けられ前記駆動源の動力が伝達される伝達部とから構成し、前記駆動源の後方に中間伝達部を設け、前記伝達部と前記中間伝達部、前記中間伝達部と前記駆動源とを各々ベルトにて連動し、さらに前記伝達部の外形を前記回転軸体の外形よりも小さくし、相対的に、前記走行体の設置空間および走行体そのものを、大きく構成した吸込具。
【請求項４】
駆動源から中間伝達部の距離よりも、伝達部から中間伝達部の距離のほうが長くなるように配置し、前記中間伝達部の回転中心の位置が、前記駆動源の回転中心の位置よりも上方になるように構成した請求項２または３に記載の吸込具。
【請求項５】
請求項１〜４のいずれか１項に記載の吸込具を用いた電気掃除機。
【発明の詳細な説明】
【技術分野】
【０００１】
本発明は、電気掃除機の吸込具に関するものであり、特に回転ブラシの駆動伝達部に関するものである。
【背景技術】
【０００２】
従来、この種の吸込具は、以下に示すものが一般的であった。すなわち、図５に示すように底面に吸込口２０を形成した吸込具２１と、前記吸込口２０に一部を臨ませた回転ブラシ２２と、前記吸込具２１に収納され、回転ブラシ２２を回転させる駆動源２３とを備え、前記回転ブラシと、合成樹脂製の回転軸体２４と、前記回転軸体２４の外周に螺旋状に装着され被清掃面に摺接する摺接片２５とから構成し、回転ブラシ２２の軸方向端部に、吸込口２０に臨ませて柱状体２６を固定し、前記柱状体２６外周に、複数個の凸部２７を形成すると共に、該凸部２７を回転軸体２４外径より径大で且つ摺接片２５の回転軌跡より小径に構成されている。
【特許文献１】特開平８−２２８９７３号公報
【発明の開示】
【発明が解決しようとする課題】
【０００３】
しかしながら上記従来の吸込具の回転ブラシでは、近年壁隅掃除に対する意識が強まり、回転ブラシを吸込具の前方内壁に近接するように配置する構成となっているため、回転ブラシの回転軸体より外形の大きい構成が回転ブラシの軸端部に必要となり、回転ブラシの端部を収納する空間が広くなり、吸込具の底面を被掃除面から保つ走行体を構成する空間が狭くなり、小さなものとなって、走行体の耐久性および走行性が悪くなるという課題があった。
【課題を解決するための手段】
【０００４】
前記従来の課題を解決するために本発明の吸込具は、下方に吸込口を開口させた吸込具と、前記吸込口に臨ませた回転ブラシと、前記回転ブラシを回転させる駆動源と、前記吸込具の底面に設けられた走行体とを備え、前記回転ブラシを、合成樹脂や金属からなる回転軸体と、端部に設けられ前記駆動源の動力が伝達される伝達部とから構成し、前記伝達部と前記駆動源とをベルトにて連動し、さらに前記伝達部の外形を前記回転軸体の外形よりも小さくし、相対的に、前記走行体の設置空間および走行体そのものを、大きく構成したものである。
【０００５】
上記発明によれば回転ブラシを吸込具の前方内壁に近接するように配置したときに、回転ブラシの回転軸体より外形の小さい伝達部が構成され、回転ブラシの端部を収納するための必要空間が狭くてすみ、吸込具の底面を被掃除面から保つ走行体を構成する空間が、相対的に大きく取れるため、走行体の大きさを大きくすることが可能になり、これに伴って走行体の耐久性および走行性を向上することができるようになる。
【発明の効果】
【０００６】
本発明の吸込具は、底面を被掃除面から保つ走行体を設置するための空間が広く取れるようになり、走行体の大きさを確保でき、走行体の耐久性および走行性を向上することができる。
【発明を実施するための最良の形態】
【０００７】
第１の発明は、下方に吸込口を開口させた吸込具と、前記吸込口に臨ませた回転ブラシと、前記回転ブラシを回転させる駆動源と、前記吸込具の底面に設けられた走行体とを備え、前記回転ブラシを、合成樹脂や金属からなる回転軸体と、端部に設けられ前記駆動源の動力が伝達される伝達部とから構成し、前記伝達部と前記駆動源とをベルトにて連動し、さらに前記伝達部の外形を前記回転軸体の外形よりも小さくし、相対的に、前記走行体の設置空間および走行体そのものを、大きく構成したものである。
【０００８】
そして、回転ブラシを吸込具の前方内壁に近接するように配置したときに、回転ブラシの回転軸体より外形の小さい伝達部が構成され、回転ブラシの端部を収納する空間を狭くでき、吸込具の底面を被掃除面から保つ走行体を構成する空間を大きく取れるため、走行体の耐久性および走行性を向上することができる。
【０００９】
第２の発明は、下方に吸込口を開口させた吸込具と、前記吸込口に臨ませた回転ブラシと、前記回転ブラシを回転させる駆動源と、前記吸込具の底面に設けられた走行体とを備え、前記回転ブラシを、合成樹脂や金属からなる回転軸体と、端部に設けられ前記駆動源の動力が伝達される伝達部とから構成し、前記伝達部と前記駆動源との間に中間伝達部を設け、前記伝達部と前記中間伝達部、前記中間伝達部と前記駆動源とを各々ベルトにて連動し、さらに前記伝達部の外形を前記回転軸体の外形よりも小さくし、相対的に、前記走行体の設置空間および走行体そのものを、大きく構成したものである。
【００１０】
そして、回転ブラシを吸込具の前方内壁に近接するように配置したときに、回転ブラシの回転軸体より外形の小さい伝達部が構成され、回転ブラシの端部を収納する空間を狭くでき、吸込具の底面を被掃除面から保つ走行体を構成する空間を大きく取れるため、走行体の耐久性および走行性を向上することができる。
【００１１】
第３の発明は、下方に吸込口を開口させた吸込具と、前記吸込口に臨ませた回転ブラシと、前記回転ブラシを回転させる駆動源と、前記吸込具の底面に設けられた走行体とを備え、前記回転ブラシを、合成樹脂や金属からなる回転軸体と、端部に設けられ前記駆動源の動力が伝達される伝達部とから構成し、前記駆動源の後方に中間伝達部を設け、前記伝達部と前記中間伝達部、前記中間伝達部と前記駆動源とを各々ベルトにて連動し、さらに前記伝達部の外形を前記回転軸体の外形よりも小さくし、相対的に、前記走行体の設置空間および走行体そのものを、大きく構成したものである。
【００１２】
そして、回転ブラシを吸込具の前方内壁に近接するように配置したときに、回転ブラシの回転軸体より外形の小さい伝達部が構成され、回転ブラシの端部を収納する空間を狭くでき、吸込具の底面を被掃除面から保つ走行体を構成する空間を大きく取れるため、走行体の耐久性および走行性を向上することができる。また、中間伝達部と伝達部との距離が大きいために回転ブラシを取り外すときに、回転ブラシが吸込具の底面から取り出しやすくなりメンテナンス性に優れるものである。
【００１３】
第４の発明は、駆動源から中間伝達部の距離よりも、伝達部から中間伝達部の距離のほうが長くなるように配置し、前記中間伝達部の回転中心の位置が、前記駆動源の回転中心の位置よりも上方になるように構成したものである。
【００１４】
そして、回転ブラシを吸込具の前方内壁に近接するように配置したときに、回転ブラシの回転軸体より外形の小さい伝達部が構成され、回転ブラシの端部を収納する空間を狭くでき、吸込具の底面を被掃除面から保つ走行体を構成する空間を大きく取れるため、走行体の耐久性および走行性を向上することができる。また、中間伝達部と伝達部との距離が大きいために回転ブラシを取り外すときに、回転ブラシが吸込具の底面から取り出しやすくなりメンテナンス性に優れるものである。
【００１５】
第５の発明は、第１〜第４のいずれか１つに記載の吸込具を用いた電気掃除機としたものである。
【００１６】
そして、走行体の耐久性および走行性を向上した吸込具を備えた電気掃除機が実現できる。
【００１７】
以下、本発明の実施の形態について、図面を参照しながら説明する。なお、この実施の形態によって本発明が限定されるものではない。
【００１８】
（実施の形態１）
図１は本発明の第１の実施の形態の吸込具を示す端部断面図、図４は同吸込具を装着した電気掃除機の全体斜視図である。
【００１９】
図１、図４において、１は吸込具であり、吸込具１の上側面を形成する上部材２と、下面を形成する下部材３を上下に合わせて構成している。下部材３の底面には下方開口の吸込口４が設けられている。
【００２０】
吸込具１の略中央後方部に設けられたパイプ５は、上部材２と下部材３に挟持されて上下に回動自在に設けられたアーム６と、アーム６の後方端面部に左右回動自在に設けられた接続パイプ７とから構成されており、パイプ５の内部は中空上に構成され、吸込口４と連通している。
【００２１】
接続パイプ７の後方には電動送風機１３を内部に配置した負圧を発生する電気掃除機１２に、接続口１１を介して接続されるホース１０と、ホース１０を介して接続される延長管９を通じて接続されている。
【００２２】
吸込口４に一部臨ませて回転自在に保持されている回転ブラシ８と、回転ブラシ８の中央部分にあたる部分を樹脂、もしくは金属で形成された回転軸体１４と、回転軸体１４の外周周囲に略らせん状になるように配設された被掃除面上の塵埃をかき取る塵埃除去体１５が設けられている。回転軸体１４の左右両端部のうちどちらか一方に設けられ、回転ブラシ８を軸支する構造体を有し、回転ブラシ８に動力を伝達する構造を有し、回転軸体１４の外形よりも伝達する構造部の外形のほうが小さくなるようにしたギアなどで構成された伝達部１６が設けられている。
【００２３】
吸込具１の後方部分には回転ブラシ８を回転させるモーターやタービンなどで構成された駆動源１７を備え、回転ブラシ８の伝達部１６と起動源１７とはベルト１８にて張架されている。
【００２４】
吸込具１の底面には回転自在に軸支されたローラー体１９が複数個設けられている。また、回転ブラシ８の塵埃除去体１５の回転直径は吸込具１の前方内壁際までくる位置で保持されている。
【００２５】
次に動作、作用について説明すると、回転ブラシ８を吸込具１の前方内壁に近接するように配置したときに、回転ブラシ８の回転軸体１４より外形の小さい伝達部１６が構成され、回転ブラシ８の端部を収納する空間が広くなり、吸込具１の底面を被掃除面から保つ走行体１９を構成する空間を大きく取れるため、走行体１９の耐久性および走行性を向上することができる。
【００２６】
（実施の形態２）
図２は本発明の第２の実施の形態の吸込具を示す端部断面図である。
【００２７】
本実施の形態において、実施の形態１と異なる点は回転ブラシ８の伝達部１６と駆動源１７との間に設けた中間伝達部２０が設けてある。伝達部１６と中間伝達部２０、中間伝達部２０と駆動源１７とを各々ベルト１８にて張架してある。
【００２８】
また、駆動源１７から中間伝達部２０の距離よりも、伝達部１６から中間伝達部２０の距離のほうが長くなるように配置し、かつ駆動源１７の回転中心より中間伝達部２０の回転中心が上になるように構成を有する。
【００２９】
なお、実施の形態１と同一符号のものは同一構造を有し、説明は省略する。
【００３０】
次に動作、作用を説明すると、回転ブラシ８を吸込具１の前方内壁に近接するように配置したときに、回転ブラシ８の回転軸体１４より外形の小さい伝達部１６が構成され、回転ブラシ８の端部を収納する空間が広くなり、吸込具１の底面を被掃除面から保つ走行体を構成する空間を大きく取れるため、走行体１９の耐久性および走行性を向上することができる。また、中間伝達部２０と伝達部１６との距離が大きいために回転ブラシ８を取り外すときに、回転ブラシ８が吸込具１の底面から取り出しやすくなりメンテナンス性に優れるものである。また、中間伝達部２０を配置したことにより、回転ブラシ８の減速比率を調整しやすく、回転ブラシ８のトルクを向上することができ、集塵能力を向上することができるものである。
【００３１】
（実施の形態３）
図３は本発明の第３の実施の形態の吸込具を示す端部断面図である。
【００３２】
本実施の形態において、実施の形態１、実施の形態２と異なる点は駆動源１７の後方に設けた中間伝達部２０と、伝達部１６と中間伝達部２０、中間伝達部２０と駆動源１７とを各々ベルト１８にて張架したものである。
【００３３】
なお、実施の形態１、実施の形態２と同一符号のものは同一構造を有し、説明は省略する。
【００３４】
次に動作、作用を説明すると、回転ブラシ８を吸込具１の前方内壁に近接するように配置したときに、回転ブラシ８の回転軸体１４より外形の小さい伝達部１６が構成され、回転ブラシ８の端部を収納する空間が広くなり、吸込具１の底面を被掃除面から保つ走行体１９を構成する空間を大きく取れるため、走行体１９の耐久性および走行性を向上することができる。また、中間伝達部２０と伝達部１６との距離が大きいために回転ブラシ８を取り外すときに、回転ブラシ８が吸込具１の底面から取り出しやすくなりメンテナンス性に優れるものであるまた、中間伝達部２０を配置したことにより、回転ブラシ８の減速比率を調整しやすく、回転ブラシ８のトルクを向上することができ、集塵能力を向上することができるものである。
【産業上の利用可能性】
【００３５】
以上のように、本発明にかかる吸込具は、吸込具の底面を被掃除面から保つ走行体を構成する空間を大きくでき、これに伴って走行体自身の大きさも大きくでき、走行体の耐久性および走行性を向上できるようになり、幅広く、電気掃除機に用いることができる。
【図面の簡単な説明】
【００３６】
【図１】本発明の実施の形態１における吸込具の端部断面図
【図２】本発明の実施の形態２における吸込具の端部断面図
【図３】本発明の実施の形態３における吸込具の端部断面図
【図４】本発明の実施の形態１〜３における吸込具を用いた電気掃除機の全体斜視図
【図５】従来の吸込具の端部断面図
【符号の説明】
【００３７】
１    吸込具
４    吸込口
８    回転ブラシ
１４  回転軸体
１６  伝達部
１７  駆動源
１８  ベルト
１９  走行体
【図１】
2008054717.tif 000003
【図２】
2008054717.tif 000004
【図３】
2008054717.tif 000005
【図４】
2008054717.tif 000006
【図５】
2008054717.tif 000007